(57)【要約】【課題】使用者の利便性を高めることができるヘアードライヤを提供する。【解決手段】節度部３０１は、把持部２が使用位置Ｐ１にあるとき凸部４１が第１係合部３１１と係合し、把持部２が収納位置Ｐ２にあるとき凸部４１が第２係合部と係合することで把持部２の回動を規制しており、第１係合部３１１が、金属又はセラミックで形成されているとともに凸部４１と係合するように配置された節度ピン３２を有しているヘアードライヤＡ。【選択図】図８
2015073726.tif 000002
【特許請求の範囲】
【請求項１】
内部に送風部と加熱部とを備えた本体ケースと、
前記本体ケースに回動可能に取り付けられる把持部と、
前記把持部の先端が前記本体ケースから最も離れた使用位置又は最も接近した収納位置にあるとき、前記把持部の回動を規制する節度部とを備え、
前記節度部は前記本体ケース又は前記把持部の一方に設けられるとともに内側に向かって突出する第１係合部及び第２係合部を含む環状の内周面が形成された節度係合部と、
前記本体ケース又は前記把持部の他方に固定される円環形状の係合体とを有しており、
前記係合体は円環形状部と、前記円環形状部の径方向外側に突出するとともに径方向に弾性的に移動可能な凸部とを有しており、
前記節度部は、前記把持部が前記使用位置にあるとき前記凸部が前記第１係合部と係合し、前記把持部が前記収納位置にあるとき前記凸部が前記第２係合部と係合することで把持部の回動を規制しており、
前記第１係合部が、金属又はセラミックで形成されているとともに前記凸部と係合するように配置された節度ピンを有していることを特徴とするヘアードライヤ。
【請求項２】
前記第２係合部の前記内周面から突出する突出量は、前記第１係合部の突出量よりも小さい請求項１に記載のヘアードライヤ。
【請求項３】
前記第２係合部は前記節度係合部と一体的に形成されている請求項１又は請求項２に記載のヘアードライヤ。
【請求項４】
前記節度部は、前記把持部の回動の中心に対して点対称形状を有している請求項１又は請求項２に記載のヘアードライヤ。
【請求項５】
前記係合体は前記節度ピンに対し摺動性が高い材料で形成されている請求項１から請求項４のいずれかに記載のヘアードライヤ。
【請求項６】
前記本体ケースは、内部に前記加熱部を配置するとともに内部を前記送風部からの気流が通過する先細りテーパー形状の断熱筒部と、
前記断熱筒部の内部に配置され前記加熱部を保持するとともに、前記断熱筒部を周方向に分割する基板とを備えており、
前記断熱筒部の気流の流れ方向下流側の端部は、一方向に前記テーパー形状の勾配よりも急な勾配の傾斜部を有する流速増速部と、前記傾斜部と連続するとともに、気流の流れ方向に沿って延びる平面部を有する整流部とを備えており、
前記前記平面部の外面側にはイオン発生部が設けられており、
前記イオン発生部のイオンを発生する電極が、前記断熱筒部の整流部に突出している請求項１から請求項５のいずれかに記載のヘアードライヤ。
【請求項７】
前記加熱部は等間隔に並んで形成された波形状を有する電線を、前記断熱筒部に沿うようにらせん状に巻き回した発熱部を備えており、
前記発熱部は、前記らせん状の軸方向に見て、前記軸周りに対称形状となる対称部と、前記平面部と平行な面に対する鏡像と組み合わせたときの中心軸が前記らせん状の軸と重なる２つの異なる形状を前記らせん状の軸周りに対称とならないように組み合わせた非対称部とを備えており、
前記非対称部は、前記らせん状の軸をとおり前記平面部と平行な面から突出する高さが、前記イオン発生部側に配置される部分が、反対側よりも低い請求項６に記載のヘアードライヤ。
【発明の詳細な説明】
【技術分野】
【０００１】
本発明は、送風により頭髪等の対象物を乾燥させるヘアードライヤに関するものである。
【背景技術】
【０００２】
ヘアードライヤは、前方に空気（熱風）を吹き出す吹出し口を備えた本体ケースと、前記本体ケースに設けられたハンドル連結部に回転可能に取り付けられたハンドルを備えている。前記ヘアードライヤは、前記ハンドルを回転させ前記本体ケースに接近させた位置が、収納性や可搬性を高めた収納位置である。また、前記ヘアードライヤは、前記ハンドルを回転させ前記本体ケースから開いた位置が、使用者がハンドルを把持しやすくするための使用位置である。
【０００３】
前記ヘアードライヤは、前記ハンドルを収納位置又は使用位置のそれぞれの状態で回動規制するための節度構造を有している。前記節度構造は、前記ハンドル連結部の凹部に挿入され、弾性変形可能な節度リングと、前記節度リングの外周面に設けられた第１係合体と、凹部の内周面に設けられた第２係合体とを備えている。そして、前記節度構造は前記ハンドルが収納位置又は使用位置にあるとき、第１係合体と第２係合体とが係合し、前記ハンドルが反対側に移動しないように、ハンドルの回動を規制している。
【０００４】
そして、節度構造によって回動規制されているハンドルを使用者が反対側（ハンドルが収納位置にあるときは使用位置にあるいはその逆）に回動させるとき、前記第１係合体が前記第２係合体に押しのけられる。このとき、前記節度リングの前記第１係合体が形成されている部分の近傍が内側に向かって弾性変形し、この弾性変形によって前記第１係合体は前記第２係合体を乗り越える。そして、前記第２係合体を乗り越えたとき、前記節度リングは弾性的な復元力で元の形状に戻る。このようにして使用者は前記ハンドルを収納位置と使用位置との間で回動させることができる。
【０００５】
また、前記第１係合体が前記第２係合体に押しのけられるとき又は前記節度リングが弾性的に復元するとき、使用者は前記ハンドルより衝撃或いは振動（以下節度感）を感じる。この節度感を感じることで、使用者は前記ハンドルが収納位置又は使用位置に確実に移動したことを確認できるようになっている（特開２００８−２００１５３号公報等参照）。
【先行技術文献】
【特許文献】
【０００６】
【特許文献１】特開２００８−２００１５３号公報
【発明の概要】
【発明が解決しようとする課題】
【０００７】
しかしながら、特開２００８−２００１５３号公報に記載の発明では、第１係合体及び第２係合体とが前記ハンドルと同じ材料で形成されているため、前記ハンドルを収納位置と使用位置との間の移動を繰り返すと、第１係合体及び第２係合体が摩耗する。第１係合体及び第２係合体が摩耗すると、ハンドルを収納位置又は使用位置で確実に保持されなくなり、ヘアードライヤが使用しづらくなる。
【０００８】
そこで本発明は、把持部が使用位置又は収納位置で確実に移動規制され、使用者の利便性を高めることができるヘアードライヤを提供することを目的とする。
【０００９】
また、本発明は、イオンを含む気流を頭髪に吹付け、短時間且つ確実に頭髪を乾燥させることで使用者の利便性を高めることができるヘアードライヤを提供することを目的とする。
【００１０】
さらに本発明は、イオンを発生するイオン発生部の熱による不具合の発生を抑制し、使用者の利便性を高めることができるヘアードライヤを提供することを目的とする。
【課題を解決するための手段】
【００１１】
上記目的を達成するため本発明は、内部に送風部と加熱部とを備えた本体ケースと、前記本体ケースに回動可能に取り付けられる把持部と、前記把持部の先端が前記本体ケースから最も離れた使用位置又は最も接近した収納位置にあるとき、前記把持部の回動を規制する節度部とを備え、前記節度部は前記本体ケース又は前記把持部の一方に設けられるとともに内側に向かって突出する第１係合部及び第２係合部を含む環状の内周面が形成された節度係合部と、前記本体ケース又は前記把持部の他方に固定される円環形状の係合体とを有しており、前記係合体は円環形状部と、前記円環形状部の径方向外側に突出するとともに径方向に弾性的に移動可能な凸部とを有しており、前記節度部は、前記把持部が前記使用位置にあるとき前記凸部が前記第１係合部と係合し、前記把持部が前記収納位置にあるとき前記凸部が前記第２係合部と係合することで把持部の回動を規制しており、前記第１係合部が、金属又はセラミックで形成されているとともに前記凸部と係合するように配置された節度ピンを有していることを特徴とするヘアードライヤを提供する。
【００１２】
この構成によると、前記把持部が使用位置にあるとき、前記凸部と係合する前記第１係合部が金属又はセラミックで形成された節度ピンを用いており、前記凸部と前記節度ピンとが係合されるようになっている。このように構成されることで、前記第１係合部は前記把持部が回動するとき、前記凸部との摩擦による摩耗が発生しにくく、繰り返し使用した場合でも、前記凸部と前記第１係合部とがしっかり係合する。
【００１３】
これにより、前記把持部が使用位置にあるとき、前記把持部のがたつきが抑制されるため、使用者が把持部を持ちながら振った場合でも、前記本体ケースがぶれにくい。このことから、使用者の利便性を高めることが可能である。
【００１４】
上記構成において、前記第２係合部の前記内周面から突出する突出量が、前記第１係合部の突出量よりも小さく形成されていてもよい。これにより、前記凸部と前記第２係合部との摩擦を低減することができ、前記凸部及び（又は）前記第２係合部の摩耗を低減することができる。
【００１５】
上記構成において、前記第２係合部は前記節度係合部と一体的に形成されていてもよい。これにより、節度ピンを取り付ける作業を、第１係合部のみでよく、作業性を高めることができる。
【００１６】
上記構成において、前記第２係合部は前記第１係合部と同様の金属又はセラミックで形成された節度ピンを有していてもよい。これにより、前記凸部と前記第１係合部及び前記第２係合部との摩擦を低減し、前記凸部、前記第１係合部及び前記第２係合部の摩耗を低減することができる。
【００１７】
上記構成において、前記第２係合部は前記第１係合部と同様の金属又はセラミックで形成された節度ピンを有しており、前記第２係合部の節度ピンは、前記第１係合部の節度ピンよりも小型に形成されていてもよい。これにより、第１係合部と第２係合部の突出量を正確に調整することができる。
【００１８】
上記構成において、前記節度部は、前記把持部の回動の中心に対して点対称形状を有していてもよい。これにより、前記係合体に作用する力が相殺されるため、前記係合体が取り付けられる部材に作用する力を低減することができる。
【００１９】
上記構成において、前記係合体は前記節度ピンに対し摺動性が高い材料で形成されている。これにより、前記凸部の摩耗を低減することが可能である。
【００２０】
上記目的を達成するため本発明は、前記本体ケースが、内部に前記加熱部を配置するとともに内部を前記送風部からの気流が通過する先細りテーパー形状の断熱筒部と、前記断熱筒部の内部に配置され前記加熱部を保持するとともに、前記断熱筒部を周方向に分割する基板とを備えており、前記断熱筒部の気流の流れ方向下流側の端部は、一方向に前記テーパー形状の勾配よりも急な勾配の傾斜部を有する流速増速部と、前記傾斜部と連続するとともに、気流の流れ方向に沿って延びる平面部を有する整流部とを備えており、前記前記平面部の外面側にはイオン発生部が設けられており、前記イオン発生部のイオンを発生する電極が、前記断熱筒部の整流部に突出している。
【００２１】
この構成によると、断熱筒部にイオン発生部を取り付けた構成となっているため、小型化、軽量化することが可能である。また、整流部で確実に整流した気流を吹き付けるため、気流が頭髪の内部に到達しやすく、それだけ、乾燥の効率を高めることができる。
【００２２】
上記構成において、前記基板は十字状に組み立てられた第１板部と第２板部とを備えており、前記第１板部は前記平面部に沿うとともに、前記整流部全体を分割するように配置されており、前記第２板部は前記第１板部と交差するように設けられており、前記イオン発生部はプラス電極とマイナス電極とが前記第２板部を挟んで前記整流部に突出している。これにより、プラスに帯電したイオンとマイナスに帯電したイオンとが発生直後に結びつくのを抑制することができる。また、前記整流部が前記第１板部で前記平板部が形成されている側と反対側に分割されており、イオン発生部が配置されている側の流速が反対側に比べて速くなっている。イオン発生部で発生したイオンは流速が速い気流に乗ってヘアードライヤの外部に排出されるため、遠くまで（すなわち、毛髪の奥まで）届きやすい。
【００２３】
上記構成において、前記第２板部の前記整流部内に配置されている部分は、前記第１板部を挟んで平面部側の部分が、反対側の部分よりも前記気流の流れ方向の下流側に長く形成されている。これにより、整流部の整流を行う実質的な長さを、流速が速い部分を長く、流速が遅い部分を短くしている。また、流速が遅い部分では、整流が行われた気流を早めに混合することで、気流の温度むらを抑制している。
【００２４】
上記構成において、前記整流部の内部には、前記断熱筒部の他の部分よりも多くの領域に分割されるように基板が配置されている。これにより、より確実に整流を行うことが可能となる。なお、分割数としては４〜８程度が好ましく、基板の配置としては、放射状に配置するものを挙げることができる。
【００２５】
上記目的を達成するため本発明は、前記加熱部は等間隔に並んで形成された波形状を有する電線を、前記断熱筒部に沿うようにらせん状に巻き回した発熱部を備えており、前記発熱部は、前記らせん状の軸方向に見て、前記軸周りに対称形状となる対称部と、前記平面部と平行な面に対する鏡像と組み合わせたときの中心軸が前記らせん状の軸と重なる２つの異なる形状を前記らせん状の軸周りに対称とならないように組み合わせた非対称部とを備えており、前記非対称部は、前記らせん状の軸をとおり前記平面部と平行な面から突出する高さが、前記イオン発生部側に配置される部分が、反対側よりも低い。
【００２６】
このように、加熱部の前記らせん状の軸方向に前記イオン発生部に近い部分を非対称部とすることで、加熱部とイオン発生部とを一定間隔あけて配置することができる。これにより、イオン発生部が前記加熱部の熱によって誤作動したり、破損したりするのを抑制することが可能である。また、前記加熱部の発熱部として、波形状を変更せずに巻き回す形状のみを変更しているため、波形状のピッチを変更する構成に比べて組み付けが容易である。また、対称形状を有したままで、軸をイオン発生部から離すようにずらす方法に比べて、断熱筒部が大型化するのを抑制することができ、ヘアードライヤ自体が大きくなるのを抑制することができる。これにより、大型化することなくイオンを安定的に放出することができるので、使用者の利便性を高めることが可能である。
【００２７】
上記構成において、前記非対称部が、前記整流部の一部に形成されていてもよい。
【発明の効果】
【００２８】
本発明によると、使用回数にかかわらず、把持部が使用位置又は収納位置で確実に維持され、使用者の利便性を高めることができるヘアードライヤを提供することができる。
【図面の簡単な説明】
【００２９】
【図１】本発明にかかるヘアードライヤの一例の側面図である。
【図２】図１に示すヘアードライヤの断面図である。
【図３】図１に示すヘアードライヤの分解斜視図である。
【図４】図２に示すヘアードライヤをＩＶ−ＩＶ線で切断した断面図である。
【図５】本発明にかかるヘアードライヤの右ハンドルカバーを取り外した状態を示す図である。
【図６】本発明にかかるヘアードライヤの右ハンドルカバーを示す図である。
【図７】本発明にかかるヘアードライヤの節度部の分解斜視図である。
【図８】本発明にかかるヘアードライヤのハンドルが使用位置にあるときの節度部を示す部分断面図である。
【図９】本発明にかかるヘアードライヤのハンドルが収納位置にあるときの節度部を示す部分断面図である。
【図１０】本発明にかかるヘアードライヤの左ハンドルカバーを取り外した状態を示す図である。
【図１１】本発明にかかるヘアードライヤの左ハンドルカバーを示す図である。
【図１２】本発明にかかるヘアードライヤの右ハンドルカバーを取り外した状態を示す図である。
【図１３】本発明にかかるヘアードライヤの右ハンドルカバーを示す図である。
【図１４】本発明にかかるヘアードライヤの節度部の分解斜視図である。
【図１５】本発明にかかるヘアードライヤのさらに他の例の断面図である。
【図１６】図１５に示すヘアードライヤの上側から見た断面図である。
【図１７】本発明にかかるヘアードライヤを軸に沿って切断した断面図である。
【図１８】図１７に示すヘアードライヤをＸＶＩ−ＸＶＩ線で切断した断面図である。
【発明を実施するための形態】
【００３０】
以下に本発明の実施形態について図面を参照して説明する。
【００３１】
図１は本発明にかかるヘアードライヤの一例の側面図であり、図２は図１に示すヘアードライヤの断面図であり、図３は図１に示すヘアードライヤの分解斜視図であり、図４は図２に示すヘアードライヤをＩＶ−ＩＶ線で切断した断面図である。図１に示すように本発明にかかるヘアードライヤＡは、横長筒形状の本体ケース１と、本体ケース１の下部に形成されたハンドル取付部１１１にヒンジ部３を介して取り付けられたハンドル２（把持部）とを有している。そして、本体ケース１の後端部は空気を吸い込む吸込口１０１を構成しており、吸込口１０１には吸込みグリル１２が設けられている。また、本体ケース１の前端部は空気を吐出する吐出口１０２を構成しており、吐出口１０２には吐出グリル１３が設けられている。
【００３２】
図３に示すように、吸込みグリル１２は、吸込みメッシュ１２１と、吸込みメッシュ１２１を押えるための吸込みリング１２２とを有している。吸込みメッシュ１２１は、吸込口１０１から空気が吸い込まれるとき、本体ケース１の内部空間１００に異物が吸い込まれるのを抑制するために設けられている。吐出グリル１３は、吐出メッシュ１３１と、吐出メッシュ１３１を押えるための吐出リング１３２とを有している。吐出メッシュ１３１は、本体ケース１の内部の部材（例えば外れたねじ等）が空気の流れとともに吐出されるのをよくせいする。また、また、使用者が誤って手指等を挿入し、内部の機器に触れるのを抑制する役割も果たしている。
【００３３】
図３に示すように、本体ケース１は、左ハウジング１１Ｌと右ハウジング１１Ｒとを有しており、左ハウジング１１Ｌと右ハウジング１１Ｒとを組み合わせる構成を有している。また、ハンドル２も本体ケース１と同様、左ハンドルカバー２１Ｌと右ハンドルカバー２１Ｒとを有している。左ハウジング１１Ｌと右ハウジング１１Ｒとを組み合わせたのち、ハンドル取付部１１１の左右両サイドから、それぞれ左ハンドルカバー２１Ｌ及び右ハンドルカバー２１Ｒを組み合わせる。そして、ねじ２０を左右ハウジング１１Ｌ及び１１Ｒ、左右ハンドルカバー２１Ｌ及び２１Ｒを貫通させ、先端部を螺合することで、本体ケース１とハンドル２とが回動可能に連結される。これにより、ハンドル２はねじ２０を中心に回動する。
【００３４】
左右ハウジング１１Ｌ及び１１Ｒ、左右ハンドルカバー２１Ｌ及び２１Ｒは、ＡＢＳ等の樹脂で形成されている。これにより、本体ケース１やハンドル２に熱が伝わりにくく、本体ケース１やハンドル２にふれても痛みを感じたり、火傷をしたりするのを抑制することができる。
【００３５】
また、ハンドル２の先端部には、電源供給のための電源ケーブルＰｃが設けられている。電源ケーブルＰｃは、左ハンドルカバー２１Ｌと右ハンドルカバー２１Ｒに挟まれることで保持される保持部Ｃｔの内部を通過するように配置されている。
【００３６】
左ハウジング１１Ｌと右ハウジング１１Ｒを組み合わせることで、本体ケース１の上部に円柱状の内部空間１００が形成される。そして、図２、図３に示すように、本体ケース１の内部の内部空間１００には、ファン１４（送風部）、モータ１５、ヒータ５（加熱部）、ヒータ基板６（基板）、断熱スリーブ７（断熱筒部）及びイオン発生ユニット８（イオン発生部）が設けられている。ファン１４は複数枚（ここでは、３枚）のプロペラを有する軸流送風機であり、内部空間１００の最も吸込口１０１に近い部分に配置されている。ファン１４は円筒状のファンケース１４１の内部に回転可能に配置されておりモータ１５からの回転力によって回転する。ファン１４が回転することで、本体ケース１の内部空間１００に軸方向正面側に向かう空気の流れ（以下、気流と称する場合がある）が発生する。
【００３７】
ファンケース１４１には、径方向に延びるとともに周方向に等間隔に並べられた複数個のフィンが設けられている。このフィンは、モータ１５を支持するとともに、ファン１４で発生した空気の流れ（旋回流）をファン１４の回転方向に揃える役割を果たしている。
【００３８】
図３に示すように、モータ１５は、ファンケース１４１にモータ用緩衝部材１５１を介して配置されている。モータ用緩衝部材１５１は、モータ１５の駆動時の振動等を抑制するものである。
【００３９】
本体ケース１の内部の内部空間１００のモータ１５の正面側には、ヒータ５が取り付けられるヒータ基板６が配置されている。図２、図３に示すように、ヒータ５が配置されたヒータ基板６が本体ケース１の内部の内部空間１００に配置された筒状の断熱スリーブ７の内部に取り付け固定される。これにより、ヒータ５は断熱スリーブ７の内部に、断熱スリーブ７に接触しないように取り付けられる。
【００４０】
ヒータ５は内部空間１００の軸方向に厚みを有する金属線（ニクロム線等）をヒータ基板６にらせん状に巻回した形状を有している。このような金属線に電流を流すことで、ジュール熱により発熱させ、近接している空気を加熱する。そして、図４に示すように、ヒータ５は周方向に周期的に配置された波型に形成されている。このように、波型に形成されていることで、通過する空気との接触面積を増やし、空気を効率よく加熱している。
【００４１】
断熱スリーブ７には、内面に密着するように取り付けられた断熱コーン７１が取り付けられている。断熱スリーブ７は例えば樹脂で形成されており、断熱コーン７１はマイカで形成されている。このような、断熱スリーブ７及び断熱コーン７１が取り付けられていることで、ヒータ５の熱が外部に到達するのを抑制している。これにより、空気の加熱効率を高めるとともに、本体ケース１の外面が高温になるのを抑制し、使用者が触れても痛みを感じたり、火傷してしまったりするのを抑制している。なお、断熱スリーブ７のみで十分な断熱効果を得ることができる場合、断熱コーン７１を省略することが可能である。また、断熱スリーブ７と断熱コーン７１の間に隙間を形成するようにしてもよい。断熱スリーブ７と断熱コーン７１の間の隙間が空気の層を形成し、断熱性をより高めることが可能となる。
【００４２】
断熱スリーブ７は正面側に行くにしたがって小径になるようなテーパー形状を有しており、本体ケース１の正面端部に到達している。断熱スリーブ７は、テーパー状に形成されており、内部を流れる気流の流速を高めている。断熱スリーブ７の背面側の端部はファンケース１４１が連結している。そして、ファンケース１４１の背面側には吸込みグリル１２が取り付けられており、断熱スリーブ７の正面側の端部には吐出グリル１３が取り付けられている。すなわち、吸込みグリル１２、ファンケース１４１、断熱スリーブ７及び正面グリル１３は、本体ケース１の軸方向に気密に連結されており、通風路１６を形成している。
【００４３】
本体ケース１の正面側の端部近傍の上部には、イオン発生ユニット８が設けられている。イオン発生ユニット８は、本体８０と、イオンを発生するプラス電極８１と、マイナス電極８２とを備えている。イオン発生ユニット８の本体８０は、断熱スリーブ７の上部に配置されており、プラス電極８１及びマイナス電極８２が、断熱スリーブ７の内部に向かって突出している。イオン発生ユニット８を吐出口１０２の近くに配置することで、発生したイオンが本体ケース１の内部の部材に付着し、消滅してしまうのを抑制できる。これにより、ヘアードライヤＡは、一定量のイオンを含む気流を安定して吐出することができる。
【００４４】
また、図２に示しているように、ハンドル２自体及び本体ケース１のハンドル２の近傍には、第１スイッチＳｗ１、第２スイッチＳｗ２及び第３スイッチＳｗ３が備えられている。第１スイッチＳｗ１は、スライドスイッチであり、ヘアードライヤＡの入／切の切替えやモータ１５の回転数を調整し、空気の流量を調整するスイッチである。第２スイッチＳｗ２は押しボタンスイッチであり、スイッチを押したときに吐出口１０２から冷風が吐出されるようにするスイッチである。つまり、第２スイッチＳｗ２はヒータ５の入／切を切り替えるスイッチである。第３スイッチＳｗ３はイオンの発生を切り替えるスイッチである。第１スイッチＳｗ１、第２スイッチＳｗ２及び第３スイッチＳｗ３をハンドル２又はハンドル２の近くに配置することで、使用者の利便性を高めることが可能である。なお、各スイッチによる動作は一例であり、これに限定されるものではない。
【００４５】
（第１実施形態）
次に、本発明にかかるヘアードライヤの要部であるヒンジ部３の詳細について図面を参照して説明する。図５は本発明にかかるヘアードライヤの右ハンドルカバーを取り外した状態を示す図であり、図６は本発明にかかるヘアードライヤの右ハンドルカバーを示す図であり、図７は本発明にかかるヘアードライヤの節度部の分解斜視図である。また、図８は本発明にかかるヘアードライヤのハンドルが使用位置にあるときの節度部を示す部分断面図であり、図９は本発明にかかるヘアードライヤのハンドルが収納位置にあるときの節度部を示す部分断面図である。また、図１０は本発明にかかるヘアードライヤの左ハンドルカバーを取り外した状態を示す図であり、図１１は本発明にかかるヘアードライヤの左ハンドルカバーを示す図である。
【００４６】
ヘアードライヤＡにおいて、ハンドル２はヒンジ部３を介して、本体ケース１に取り付けられている。ハンドル２は、使用者の操作によって、本体ケース１の気流の流れ方向と交差するように持ち上げた使用位置Ｐ１（図８参照）と、本体ケース１に沿う位置に収納した収納位置Ｐ２（図９参照）との間を回動する。ヒンジ部３は、ハンドル２の位置を使用者に節度感で知らせる節度部３０１（図５〜図９参照）と、ハンドル２が可動範囲を超えて回動されるのを抑制するための回動規制部３０２（図１０、図１１参照）とを備えている。
【００４７】
まず節度部３０１について説明する。図５、図６に示すように節度部３０１は、ハンドル２を把持している使用者に対して、節度感、すなわち折り曲げ動作時にクリック感をか感じさせる構成であり、本体ケース１の右ハウジング１１Ｒと右ハンドルカバー２１Ｒとに設けられている。節度部３０１は、右ハンドルカバー２１Ｒに一体的に形成された節度リブ３１（節度係合部）、節度リブ３１の内部に設けられる節度ピン３２、本体ケース１の右ハウジング１１Ｒに取り付けられるハンドルリング４（係合体）とを有している。
【００４８】
節度リブ３１は、中央部分をねじ２０が貫通するとともにハンドルリング４が回動可能に挿入される円筒状のリブである。節度リブ３１は、円柱状の節度ピン３２を保持するピン保持部３１０を備えている。図６に示すように、ピン保持部３１０は、内周部の一部に不連続部分を有するとともに外部に向かって張り出した形状を有している。ピン保持部３１０は不連続部分で節度リブ３１と連結されている。ピン保持部３１０は節度ピン３２の外周面の一部が、節度リブ３１の内側に突出するように節度ピン３２を保持している。
【００４９】
そして、節度部３０１では、節度ピン３２の節度リブ３１の内周面から内側に突出する部分を第１係合部３１１としている。なお、節度ピン３２として、ここでは金属（ステンレス、アルミ合金、、真鍮等）で形成されているものとしているが、これに限定されない。例えば、セラミック等の耐摩耗性の高い材料を広く採用することができる。また、節度リブ３１は、中心を挟んで対称となる位置にピン保持部３１０が設けられている。ピン保持部３１０は、ハンドル２が使用位置Ｐ１（図８参照）にあるとき、ハンドルリング４の後述する凸部４１が係合し、ハンドル２の回動を制限する位置に形成されている。
【００５０】
節度リブ３１の内周面には、第１係合部３１１から周方向に一定間隔離れた位置に、内側に向かって突出した（傾斜した）第２係合部３１２が設けられている。第２係合部３１２も中心を挟んで対向する部分に２個設けられている。なお、第２係合部３１２は、節度リブ３１と一体で形成されており、節度リブ３１、すなわち、右ハンドルカバー２１Ｒと同じ樹脂で形成されている。
【００５１】
第２係合部３１２は、ハンドル２が収納位置Ｐ２（図９参照）にあるとき、ハンドルリング凸部４１が係合し、ハンドル２の回動を制限する位置に形成されている。なお、第２係合部３１２の節度リブ３１の内側に突出する突出量は、第１係合部３１１の突出量よりも少なく形成している。第１係合部３１１及び第２係合部３１２の詳細については、後述する。
【００５２】
図５、図８、図９に示すように、右ハウジング１１Ｒのヒンジ部３を構成する部分にはハンドルリング４が取り付けられるリング取付部３０が形成されている。リング取付部３０は長円（楕円）形状を有しており、長手方向の両端部にハンドルリング４と係合するようになっている。
【００５３】
ハンドルリング４は、円環形状を有する部材であり、ここでは、ＰＯＭ（ポリアセタール樹脂）で形成されている。なお、ハンドルリング４の構成材料としては、ＰＯＭに限定されるものではなく節度ピン３２との間で摺動性が高く弾性変形可能な材料（各種エンジニアリングプラスティック等）を広く採用することができる。ハンドルリング４は、２個の半円状の弾性変形部４２をリング状に組み合わせた形状を有しており、弾性変形部４２の境界部分の内周面には内側に突出する係合部４３が設けられている。そして、弾性変形部４２の中間部分には、外周面から外側に突出する凸部４１が設けられている。
【００５４】
図６に示すように、ハンドルリング４は係合部４３をリング取付部３０の長手方向の端部に係合することで、右ハウジング１１Ｒに取り付けられる。ハンドルリング４をリング取付部３０に取り付けたとき、弾性変形部４２とリング取付部３０との間には隙間が形成される。この隙間は、凸部４１が押されたとき、弾性変形部４２が変形しつつ退避する部分となる。
【００５５】
図７に示すように、右ハンドルカバー２１Ｒの節度リブ３１のピン保持部３１０に節度ピン３２を取り付ける。また、右ハウジング１１Ｒのリング取付部３０にハンドルリング４を取り付ける。そして、ハンドルリング４の少なくとも一部が節度リブ３１の内部に配置されるように、右ハウジング１１Ｒに右ハンドルカバー２１Ｒを取り付ける。このとき、節度リブ３１とハンドルリング４とは中心軸が重なるように配置されており、右ハンドルカバー２１Ｒ（ハンドル２）をヒンジ部３（ねじ２０）周りに回動させると、節度リブ３１がハンドルリング４の回りを回動する。
【００５６】
ハンドル２が使用位置Ｐ１にあるときについて説明する。ハンドル２が本体ケース１の下部から下方に向かって延びる位置にあるとき、使用者がヘアードライヤＡの操作が容易になる。そのため、ハンドル２を本体ケース１かに対して交差するように回動した位置を使用位置Ｐ１としている。また、ヘアードライヤＡをコンパクトに収納するため、ハンドル２を本体ケース１に沿うように回動させた位置を収納位置Ｐ２としている。以下の説明では、使用位置Ｐ１及び収納位置Ｐ２と表示する場合、この位置と同じものとする。
【００５７】
図８に示すように、ハンドル２が使用位置Ｐ１にあるとき、右ハンドルカバー２１Ｒに設けられている節度リブ３１の第１係合部３１１は、ハンドルリング４の凸部４１と係合している。図８において、ハンドル２は、左回り（反時計回り）に回転することで使用位置Ｐ１から収納位置Ｐ２に回動する。節度リブ３１は右ハンドルカバー２１Ｒと同期して回転するため、節度リブ３１も反時計回りに回転する。このとき、節度リブ３１の第１係合部３１１は回動が規制されるように、ハンドルリング４の凸部４１と係合される。これにより、ハンドル２は収納位置Ｐ２への回動が規制される。
【００５８】
ハンドル２を一定以上の力で回動させると、凸部４１は曲面状に形成されているため、同じく曲面状に突出している第１係合部３１１に周方向に押されることで、その力は径方向内側に作用する。第１係合部３１１が凸部４１を周方向に押す。凸部４１は弾性変形部４２の中央に設けられているため、凸部４１が径方向に押されと、弾性変形部４２が変形し、凸部４１が径方向内側に移動する。これにより、第１係合部３１１が凸部４１を通過することができるようになる。このことからも、ハンドル２は弾性変形部４２の弾性力によって使用位置Ｐ１に保持されていることがわかる。
【００５９】
第１係合部３１１が凸部４１を周方向に乗り越えると、凸部４１が第１係合部３１１から押されなくなるので、弾性変形部４２が弾性力によりもとの形状に戻る。このとき、凸部４１が節度リブ３１に衝突し、ハンドル２を把持している使用者は節度感（クリック感）を感じる。この節度感によって、使用者はハンドル２が使用位置Ｐ１から収納位置Ｐ２側に回動している（使用位置Ｐ１からずれた）ことを認識できる。
【００６０】
ハンドル２が収納位置Ｐ２側に回動されると、節度リブ３１がハンドルリング４に対して回転する。これにより、第２係合部３１２がハンドルリング４の凸部４１に接近する。図９に示すように、第２係合部３１２は、周方向に傾斜した形状を有しているため、凸部４１が徐々に径方向に押される。これにより、弾性変形部４２も徐々に変形し、第２係合部３１２の端部が凸部４１を超えたとき、凸部４１が第２係合部３１２から押されなくなるので、弾性変形部４２が弾性力によりもと形状に戻る。このとき、凸部４１が節度リブ３１に衝突し、ハンドル２を把持している使用者に節度感を発し、使用者は節度感によってハンドル２の収納位置Ｐ２への回動が完了したことを認識する。第２係合部３１２が凸部４１と係合することで、ハンドル２の収納位置Ｐ２から使用位置Ｐ１への回動が規制される。
【００６１】
また、ハンドル２が収納位置Ｐ２から使用位置Ｐ１に移動するときは、上述の逆である。すなわち、第２係合部３１２が凸部４１を乗り越える。そして、ハンドル２が使用位置Ｐ１に近づくと、凸部４１が第１係合部３１１に押され、弾性変形部４２がハンドルリング４の内側に向かって変形する。そして、第１係合部３１１が凸部４１を乗り越えると、弾性変形部４２が元の位置に戻るときに、凸部４１が節度リブ３１に接触し、節度感を出力する。
【００６２】
ハンドル２が使用位置Ｐ１にあるとき、使用者はハンドル２を把持して、ヘアードライヤＡを使用するため、ヒンジ部３にかかる力が大きくなる。ハンドル２がぐらついたり、ずれたりするのを抑制するため、ハンドル２が使用位置Ｐ１にあるときハンドル２がしっかり回動規制されていることが好ましい。そのため、ハンドル２が使用位置Ｐ１にあるとき、凸部４１と第１係合部３１１とがしっかり係合するようになっている。
【００６３】
また、ハンドル２が収納位置Ｐ２にあるとき、使用者がハンドル２を把持してヘアードライヤＡを使用することはほとんどない。そして、使用者はヘアードライヤＡを使用する場合、必ずハンドル２を使用位置Ｐ１に移動させるものであるため、軽い力で回動できることが好ましい。そのため、ハンドル２は自重等で勝手に回動しない程度に回動規制がなされている。
【００６４】
これらのことより、ヘアードライヤＡでは、凸部４１としっかり係合する必要がある第１係合部３１１の突出量を、緩い係合でよい第２係合部３１２の突出量に比べて大きくなるように構成されている。また、突出量が異なることで、第１係合部３１１又は第２係合部３１２が凸部４１を乗り越えるのに必要な力も異なる。そして、突出量が多い第１係合部３１１と凸部４１とが係合しているときの方が、第２係合部３１２と係合しているときに比べて移動に要する力が大きくなる。このことから、ヘアードライヤＡでは、ハンドル２が使用位置Ｐ１にあるとき、収納位置Ｐ２にあるときよりも強い力で回動規制している。ヘアードライヤＡでは、使用時にハンドル２を持って操作するとき、ヒンジ部３に大きな力が作用するため、使用時にハンドル２が使用者の意に反して収納位置Ｐ２に回動するのを抑制できる。一方、第２係合部３１２の突出量を第１係合部３１１に比べて小さくすることで、収納位置Ｐ２にあるハンドル２を簡単に使用位置Ｐ１方向に回動させることが可能となる。
【００６５】
さらに、第１係合部３１１又は第２係合部３１２が凸部４１を乗り越えるとき、第１係合部３１１又は第２係合部３１２は凸部４１に押し付けられている状態となっている。そして、この状態で、第１係合部３１１又は第２係合部３１２は凸部４１に対して摺動するため、摩擦力が大きくなり、それぞれの部材の摩耗が大きくなる。
【００６６】
ハンドルリング４は、上述のとおり金属製の節度ピン３２に対して摺動性が高いＰＯＭ等の樹脂で形成されている。そのため、節度ピン３２と凸部４１との摺動性が高く、凸部４１は摩耗しにくい。一方、右ハンドルカバー２１Ｒと同じ材料で形成されている第２係合部３１２はＡＢＳ樹脂等の樹脂材料で形成されている。そして、ＡＢＳ樹脂とＰＯＭとの接触は金属ピンとの接触に比べて摩擦が大きい。そのため、第２係合部３１２の突出量を第１係合部３１１よりも小さくし、第２係合部３１２と凸部４１との摩擦を低減することで、摩耗を抑制している。
【００６７】
また、ハンドルリング４が取付部４３を結ぶ線で線対称となるように弾性変形部４２及び凸部４１を設けていることで、弾性変形部４２が変形するときにハンドルリング４に作用する力が相殺される。これにより、ハンドル２の回動時にハンドルリング４に作用する力が偏るのを抑制することが可能である。
【００６８】
なお、上述しているような利点があるため、第１係合部３１１と第２係合部３１２では、突出量が異なるように形成しているが、同じ突出量であってもよい。
【００６９】
ハンドル２が可動域（使用位置Ｐ１から収納位置Ｐ２の間の領域）の外側に向かって移動するように操作される可能性がある。ヘアードライヤＡでは、ハンドル２のこのような動作による不具合を抑制するため、ヒンジ部３が回動規制部３０２を備えている。図１０に示すように、本体ケース１の左ハウジング１１Ｌのハンドル取付部１１１には凸形状の第１ストッパ３３１、第２ストッパ３３２を備えている。また、ヒンジ部３の回転中心を中心とし、周方向に延びる円弧上のガイド溝３４が設けられている。
【００７０】
第１ストッパ３３１及び第２ストッパ３３２は、ヒンジ部３の回転中心から径方向に延びる当接面を有している。第１ストッパ３３１及び第２ストッパ３３２の当接面がヒンジ部３の回転中心を中心としてなす角度は、ハンドル２が使用位置Ｐ１と収納位置Ｐ２との間で回動するときの回動角度と同じである。
【００７１】
図１１に示すように、左ハンドルカバー２１Ｌは、内側に向かって突出した規制リブ３５と、円柱形状の係合凸部３６とを備えている。規制リブ３５は、ハンドル２が使用位置Ｐ１にあるとき、第１ストッパ３３１の当接面と当接するようになっている。これにより、ハンドル２に使用位置Ｐ１よりもさらに開く方向（収納位置Ｐ２と反対方向）に回動させる力が作用しても、第１ストッパ３３１と規制リブ３５との接触によってハンドル２の移動が規制される。
【００７２】
また、規制リブ３５は、ハンドル２が収納位置Ｐ２にあるとき、第２ストッパ３３２の当接面と当接するようになっている。これにより、ハンドル２に収納位置Ｐ２よりもさらに閉じる方向（使用位置Ｐ１と反対方向）に回動させる力が作用しても、第２ストッパ３３２と規制リブ３５との接触によってハンドル２の移動が規制される。
【００７３】
また、ハンドル２が使用位置Ｐ１と収納位置Ｐ２の間で回動するとき、係合凸部３６はガイド溝３４の内部に収納されている。このように係合凸部３６がガイド溝３４内を摺動する構成とすることで、ハンドル２の回動操作時に回動方向以外の移動（ぶれ等）が発生しにくくなり、ハンドル２の回動動作の精度が高くなる。
【００７４】
以上示したように、金属製の節度ピン３２の一部をハンドルリング４の凸部４１と係合する第１係合部３１１とすることで、凸部４１と節度ピン３２との摩擦による摩耗を低減することが可能である。そして、この節度ピン３２をハンドル２が使用位置Ｐ１にあるとき、凸部４１と接触するように配置していることで、使用位置Ｐ１にあるときのハンドル２のがたつきやぶれを抑制し、安全かつ快適な使用が可能、すなわち、使用者の利便性が高くなる。
【００７５】
（第２実施形態）
本発明にかかるヘアードライヤの他の例について図面を参照して説明する。図１２は本発明にかかるヘアードライヤの右ハンドルカバーを取り外した状態を示す図であり、図１３は本発明にかかるヘアードライヤの右ハンドルカバーを示す図であり、図１４は本発明にかかるヘアードライヤの節度部の分解斜視図である。
【００７６】
図１２、図１３及び図１４に示すようにヘアードライヤＢの節度部３０１は、本体ケース１の右ハウジング１１Ｒと右ハンドルカバー２１Ｒとに設けられている。節度部３０１は、右ハウジング１１Ｒに一体的に形成された節度凹部３１ｂ、節度凹部３１ｂの内部に設けられる節度ピン３２及び右ハンドルカバー２１Ｒに取り付けられるハンドルリング４を有している。
【００７７】
節度凹部３１ｂは、中央部分をねじ２０が貫通するとともにハンドルリング４が回動可能に挿入される円柱状の凹部である。節度凹部３１ｂは、円柱状の節度ピン３２を保持するピン保持部３１０を備えている。図１２に示すように、ピン保持部３１０は、節度凹部３１ｂの内周部の一部に不連続部分を有するとともに節度凹部３１ｂの外側に張り出した形状を有している。ピン保持部３１０は不連続部分で節度リブ３１と連結されている。ピン保持部３１０は節度ピン３２の外周面の一部が、節度リブ３１の内側に突出するように節度ピン３２を保持している。
【００７８】
このような構成を有するヘアードライヤＢは、ハンドル２を回動するとき、ハンドル２と同期して、ハンドルリング４が回動する。そして、ハンドルリング４の凸部４１は、節度凹部３１ｂの内周面に沿って摺動する。凸部４１が動作することで、凸部４１は第１係合部３１１又は第２係合部３１２を乗り越える。この動作は、第１係合部３１１が凸部４１を乗り越えたのち、第２係合部３１２が凸部４１を乗り越えるヘアードライヤＡの節度部３０１と実質同じであるため詳細な説明は省略する。また、本実施形態に示すヘアードライヤＢの効果は、ヘアードライヤＡと同じである。
【００７９】
なお、左右ハウジング１１Ｌ及び１１Ｒ、左右ハンドルカバー２１Ｌ及び２１Ｒの形状に応じて、節度ピン３２及びハンドルリング４を取り付ける作業性が向上するように、節度ピン３２及びハンドルリング４を取り付ける側の部材を選択するようにすればよい。
【００８０】
（第３実施形態）
本発明にかかるヘアードライヤの他の例について説明する。本発明にかかるヘアードライヤでは、ハンドル２が使用位置Ｐ１にあるとき凸部４１が係合する第１係合部３１１、及び、ハンドル２が収納位置Ｐ２にあるとき、凸部４１が係合する第２係合部３１２に節度ピン３２を利用してもよい。
【００８１】
このとき、第１係合部３１１と第２係合部３１２の節度リブ３１の内周面からの突出量は上述のように、第１係合部３１１が第２係合部３１２よりも大きくてもよいし、同じであってもよい。また、第１係合部３１１に利用する節度ピンと第２係合部３１２に利用する節度ピンは、同じ大きさであってもよいし、異なる大きさであってもよい。
【００８２】
このように形成することで、第１係合部３１１、第２係合部３１２及び凸部４１、各部材の摩耗を抑制することが可能である。これにより、長期間にわたって、安全かつ快適に使用することができるヘアードライヤを提供することが可能である。
【００８３】
（第４実施形態）
本発明にかかるヘアードライヤについて図面を参照して説明する。本発明にかかるヘアードライヤは、イオン発生装置で発生したイオンを気流とともに吐出し、頭髪等の乾燥対象物に吹付けるものである。本発明にかかるヘアードライヤはイオンを含む気流をより確実に対象物に吹付けることができる構成を有している。
【００８４】
図１５は本発明にかかるヘアードライヤのさらに他の例の断面図であり、図１６は図１５に示すヘアードライヤの上側から見た断面図である。図１５、図１６に示すヘアードライヤＣは、ヒータ基板６ｃ及び断熱スリーブ７ｃが異なる以外、図１等に示すヘアードライヤＡと同じ構成を有している。そのため、ヘアードライヤＡと実質同じ部分には、同じ符号を付してあるとともに、同じ部分の詳細な説明は省略する。また、図１６において、本実施形態の構成では、イオン発生ユニット８の状態を示すため、整流部７４に形成されているヒータ基板６ｃは省略している。
【００８５】
図１５に示すように、断熱スリーブ７ｃは、内部にヒータ５を配置するためのヒータ配置部７２と、ヒータ配置部７３の下流側に設けられ内部を流れる空気の流速を増加させる流速増速部７３と、内部の気流の整流を行う整流部７４とを備えている。ヒータ配置部７２は下流側に行くにしたがって緩やかに小さくなるテーパー形状を有している。そして、流速増速部７３は上部が急激に狭くなるような傾斜を有している。そのため、流速増速部７３を通過する気流は増速（加速）される。ヒータ配置部７２も内径が緩やかに小さくなっているため、気流は流速増速部７３よりも緩やかに増速される。
【００８６】
流速増速部７３の傾斜部分は平面形状を有しており、流速増速部７３の下流側に整流部７４が連結している。整流部７４は、上部に流速増速部７３から連続して形成される平面部７４１を備えており、平面部７４１の上部にイオン発生ユニット８が配置されている。整流部７４は平面部７４１を有しているため、断熱スリーブ７ｃの他の部分に比べて気流の流れ方向の断面積の減少が小さくなっている。
【００８７】
断熱スリーブ７ｃの内部には、ヒータ５が取り付けられたヒータ基板６ｃが配置されている。ヒータ基板６ｃは、断熱スリーブ７ｃを上下に分割する水平板部６１（第１板部）と、断熱スリーブ７ｃを左右に分割する垂直板部６２（第２板部）とを十字状に組み合わせた形状を有している。そして、水平板部６１及び垂直板部６２は、断熱スリーブ７ｃ（の内周面に配置された断熱コーン７１）の内周面に接触して配置されており、断熱スリーブ７ｃは、ヒータ基板６ｃによって、分割されている。
【００８８】
ヒータ基板６ｃの水平板部６１は、断熱スリーブ７ｃの下流側の先端まで到達している。すなわち、断熱スリーブ７ｃはヒータ基板６ｃの水平板部６１によって、上下に分割されている。図１４に示すように、流速増速部７３の水平板部６１の上部は下部に比べて急激に断面積が小さくなっており、流速増速部７３の水平板部６１の上部では気流の流速が急激に増速する。そのため、流速増速部７３の下流側に配置された整流部７４において、水平板部６１の上側の気流の流速は下側よりも速くなっている。
【００８９】
上述のとおり、イオン発生ユニット８は、整流部７４の平面部７４１の上に配置されており、プラス電極８１及びマイナス電極８２は、断熱スリーブ７の整流部７４の内部に向かって突出している。すなわち、イオン発生ユニット８は、断熱スリーブ７の整流部７４の内部でイオンを発生するように配置されている。これにより、ヘアードライヤＣは、流速が速い気流とともにイオンを遠くまで到達させることができる。
【００９０】
ヘアードライヤＣにおいて、断熱スリーブ７ｃ内部の気流はヒータ５を横切り、気流はヒータ５の電線によってせん断される。これにより、ヒータ５の下流では渦が発生しやすくなっており、気流が乱流になりやすい。そこで、ヘアードライヤＣでは、断熱スリーブ７ｃのヒータ配置部７２の下流側の整流部７４で、気流を整流している。
【００９１】
そして、断熱スリーブ７ｃにおいて、気流は流速増速部７３で増速される。乱流を整流するため、断熱スリーブ７ｃはヒータ配置部７２の下流側に十分な長さを有する整流部７４を配置している。なお、整流部７４の長さとしては、例えば、断熱スリーブ７ｃのヒータ配置部７２の約１／３以上、断熱スリーブ７ｃの吐出口の外径以上等とすることが好ましい。
【００９２】
また、整流部７４では、水平板部６１の上部が下部に比べ気流の流速が速くなっており、乱流を層流に遷移させる（整流する）ために必要な長さが異なる。そのため、垂直板部６２は上下で異なる形状を有している。図１４に示すように、水平板部６１の上側に設けられた垂直板部６２ａは、水平板部６１と同様に断熱スリーブ７ｃの下流側の先端まで到達している。一方、水平板部６１の下側に設けられた垂直板部６２ｂは、整流部７４の途中までの形状となっている。
【００９３】
つまり、整流部７４の水平板部６１の上部では気流の流れが速いため、垂直板部６２ａを先端部まで伸ばし、整流部７４の実質的な長さを確保している。そして、垂直板部６２ａを先端部まで伸ばすことで、イオン発生ユニット８のプラス電極８１とマイナス電極８２とが突出している空間を分離することが可能となっている。これにより、発生したイオンが結びついてすぐに中和されるのを抑制することが可能となっている。
【００９４】
また、整流部７４の水平板部６１の下部では気流の流れが遅いため、垂直板部６２ｂを整流部７４の途中までとし、十分に整流するとともに、垂直板部６２ｂで左右に分割された領域を流れた空気を混合することで、ヘアードライヤＣの吐出口１０２から吐出される空気の温度むらを抑制している。
【００９５】
本発明のヘアードライヤＣにおいて整流部７４は、水平板部６１と垂直板部６２（６２ａ、６２ｂ）とで流路を４分割して整流を行っているが、これに限定されず、さらに多数に分割してもよい。一般的に気流を乱流から層流に遷移させる場合、流路を細かく分割したほうが短い流路で整流できることが知られている。一方で、分割数を増やすと、流路に対する仕切部材が占める割合が増え、圧力損失の原因となる場合もある。また、ヘアードライヤＣでは、整流部７４でイオン発生ユニット８によるイオンを注入する構成となっている。そのため、整流部７４の分割数として、４分割〜８分割程度の分割数であることが好ましい。
【００９６】
本発明にかかるヘアードライヤＣでは、整流部７４を設けて気流の整流を確実に行うことができるため、乱流では到達しなかった頭髪の内部（地肌の近く）に気流を到達させることができ、乾燥の効率を高めることができる。これにより、乾燥の効率が高くなることで乾燥に要する時間が短くなり、エネルギ（電力）の消費量を減らすことができる（省エネルギ化が可能である）。また、頭髪が高温の気流と接する時間を短くすることができ、頭髪の乾燥時のダメージを減らすことができる。
【００９７】
また、断熱スリーブ７ｃの内部でイオンを発生させているので、別途イオンを発生させる流路を有する構成に比べて、無駄な流路を減らし、吐出口１０２から吐出られる気流の流量の減少を抑制することができる。また、無駄な流路を減らすことで、ヘアードライヤＣ自体を小型軽量化することが可能である。
【００９８】
（第５実施形態）
本発明にかかるヘアードライヤについて図面を参照して説明する。本発明にかかるヘアードライヤは、イオン発生装置で発生したイオンを気流とともに吐出し、頭髪等の乾燥対象物に吹付けるものである。本発明にかかるヘアードライヤはイオンを含む気流をより確実に対象物に吹付けることができる構成を有している。
【００９９】
図１７は本発明にかかるヘアードライヤを軸に沿って切断した断面図であり。図１８は図１７に示すヘアードライヤをＸＶＩＩＩ−ＸＶＩＩＩ線で切断した断面図である。図１７、図１８に示すヘアードライヤＤはヒータ５ｄの形状が異なる以外、図１、図４等に示すヘアードライヤＡと同じ構成を有している。そのため、ヘアードライヤＡと実質同じ部分には、同じ符号を付してあるとともに、同じ部分の詳細な説明は省略する。
【０１００】
図１７に示すように、ヒータ５ｄは、ヒータ基板６に断熱スリーブ７内の気流の流れ方向に延びるらせん状に巻き回されている。ヘアードライヤＤでは、ヘアードライヤＡと同様、断熱スリーブ７の内部がヒータ基板６の水平板部６１及び垂直板部６２によって上下左右に分割（４分割）されている。このヒータ基板６によって分割された空間はそれぞれ気流が独立して流れ、各空間を流れた気流は断熱スリーブ７の下流側で混合される。
【０１０１】
ヒータ５ｄは、モータ１５に近い部分では、ヒータ基板６の水平板部６１の上下で同じ或いはほぼ同じ形状を有しており、図４に示すヒータ５と同様の形状を有している（すなわち、水平板部６１を挟んで対称な形状を有している）。一方、イオン発生ユニット８に近い部分では、水平板部６１の上側は下側に比べて低くなっている。
【０１０２】
つまり、ヒータ５ｄのイオン発生ユニット８に近い部分では、図１８示すように、ヒータ５ｄの水平板部６１の上側は横方向に長い楕円形又は楕円に近い形状を有している。ヒータ５ｄの水平板部６１の下側は円形又は円形に近い形状を有している。すなわち、ヒータ５ｄのイオン発生ユニット８に近い部分では、水平板部６１を挟んで非対称な形状を有している。
【０１０３】
そして、ヒータ５ｄは波型に折り曲げられた板状の電線であり、各波型の幅（ここでは、ピッチＰｔ１とする）は同じ（略同じ）となっている。そのため、イオン発生ユニット８の近傍においてヒータ５ｄは、水平板部６１の上側が下側に比べて波形状が少なくなっている（図１８では上側１２個、下側１８個）。すなわち、ヒータ５ｄは、水平板部６１の上側に配置される長さが、下側に配置される長さに比べて短くなる。そのため、ヒータ５ｄの水平板部６１の上側に配置されている部分で発生する熱は、下側に配置されている部分に比べて少なくなる。これにより、ヒータ５ｄからイオン発生ユニット８に伝わる熱量を減らすことができる。
【０１０４】
また、ヒータ５ｄの水平板部６１の上側に配置されている部分を横方向に長い形状とすることで縦方向の長さが小さく形成されている。そのため、断熱スリーブ７とヒータ５ｄとの隙間を小さくすることができ、空間を有効利用することが可能である。これにより、ヘアードライヤＤ（の本体ケース１）を小型化することが可能である。
【０１０５】
以上のような構成のヒータ５ｄを備えることで、吐出口１０２の近傍にイオン発生ユニット８を配置した場合でも、ヒータ５ｄからイオン発生ユニット８に伝達される熱を減らすことが可能である。これにより、イオン発生ユニット８が加熱されるのを抑制することができ、ヘアードライヤＤの吐出口１０２から吐出される気流の熱量を減らすことなく、一定量のイオンを含む気流を吐出することが可能である。これにより使用者の利便性が高くなる。
【０１０６】
以上、本発明の実施形態について説明したが、本発明はこの内容に限定されるものではない。また本発明の実施形態は、発明の趣旨を逸脱しない限り、種々の改変を加えることが可能である。
【０１０７】
本発明にかかるヘアードライヤは、内部に送風部と加熱部とを備えた本体ケースと、前記本体ケースに回動可能に取り付けられる把持部と、前記把持部の先端が前記本体ケースから最も離れた使用位置又は最も接近した収納位置にあるとき、前記把持部の回動を規制する節度部とを備え、前記節度部は前記本体ケース又は前記把持部の一方に設けられるとともに内側に向かって突出する第１係合部及び第２係合部を含む環状の内周面が形成された節度係合部と、前記本体ケース又は前記把持部の他方に固定される円環形状の係合体とを有しており、前記係合体は円環形状部と、前記円環形状部の径方向外側に突出するとともに径方向に弾性的に移動可能な凸部とを有しており、前記節度部は、前記把持部が前記使用位置にあるとき前記凸部が前記第１係合部と係合し、前記把持部が前記収納位置にあるとき前記凸部が前記第２係合部と係合することで把持部の回動を規制しており、前記第１係合部が、金属又はセラミックで形成されているとともに前記凸部と係合するように配置された節度ピンを有していることを特徴とする。
【０１０８】
この構成によると、前記把持部が使用位置にあるとき、前記凸部と係合する前記第１係合部が金属又はセラミックで形成された節度ピンを用いており、前記凸部と前記節度ピンとが係合されるようになっている。このように構成されることで、前記第１係合部は前記把持部が回動するとき、前記凸部との摩擦による摩耗が発生しにくく、繰り返し使用した場合でも、前記凸部と前記第１係合部とがしっかり係合する。これにより、前記把持部が使用位置にあるとき、前記把持部のがたつきが抑制されるため、使用者が把持部を持ちながら振った場合でも、前記本体ケースがぶれにくい。このことから、使用者の利便性を高めることが可能である。
【０１０９】
本発明にかかるヘアードライヤは、第２係合部の前記内周面から突出する突出量が、前記第１係合部の突出量よりも小さく形成されていてもよい。これにより、前記凸部と前記第２係合部との摩擦を低減することができ、前記凸部及び（又は）前記第２係合部の摩耗を低減することができる。
【０１１０】
本発明にかかるヘアードライヤは、前記第２係合部は前記節度係合部と一体的に形成されていてもよい。これにより、節度ピンを取り付ける作業を、第１係合部のみでよく、作業性を高めることができる。
【０１１１】
本発明にかかるヘアードライヤは、前記第２係合部は前記第１係合部と同様の金属又はセラミックで形成された節度ピンを有していてもよい。これにより、前記凸部と前記第１係合部及び前記第２係合部との摩擦を低減し、前記凸部、前記第１係合部及び前記第２係合部の摩耗を低減することができる。
【０１１２】
本発明にかかるヘアードライヤは、前記第２係合部は前記第１係合部と同様の金属又はセラミックで形成された節度ピンを有しており、前記第２係合部の節度ピンは、前記第１係合部の節度ピンよりも小型に形成されていてもよい。これにより、第１係合部と第２係合部の突出量を正確に調整することができる。
【０１１３】
本発明にかかるヘアードライヤは、前記節度部は、前記把持部の回動の中心に対して点対称形状を有していてもよい。これにより、前記係合体に作用する力が相殺されるため、前記係合体が取り付けられる部材に作用する力を低減することができる。
【０１１４】
本発明にかかるヘアードライヤは、前記係合体は前記節度ピンに対し摺動性が高い材料で形成されている。これにより、前記凸部の摩耗を低減することが可能である。
【０１１５】
本発明にかかるヘアードライヤは、前記本体ケースが、内部に前記加熱部を配置するとともに内部を前記送風部からの気流が通過する先細りテーパー形状の断熱筒部と、前記断熱筒部の内部に配置され前記加熱部を保持するとともに、前記断熱筒部を周方向に分割する基板とを備えており、前記断熱筒部の気流の流れ方向下流側の端部は、一方向に前記テーパー形状の勾配よりも急な勾配の傾斜部を有する流速増速部と、前記傾斜部と連続するとともに、気流の流れ方向に沿って延びる平面部を有する整流部とを備えており、前記前記平面部の外面側にはイオン発生部が設けられており、前記イオン発生部のイオンを発生する電極が、前記断熱筒部の整流部に突出している。
【０１１６】
この構成によると、断熱筒部にイオン発生部を取り付けた構成となっているため、小型化、軽量化することが可能である。また、整流部で確実に整流した気流を吹き付けるため、気流が頭髪の内部に到達しやすく、それだけ、乾燥の効率を高めることができる。
【０１１７】
本発明にかかるヘアードライヤは、前記基板は十字状に組み立てられた第１板部と第２板部とを備えており、前記第１板部は前記平面部に沿うとともに、前記整流部全体を分割するように配置されており、前記第２板部は前記第１板部と交差するように設けられており、前記イオン発生部はプラス電極とマイナス電極とが前記第２板部を挟んで前記整流部に突出している。これにより、プラスに帯電したイオンとマイナスに帯電したイオンとが発生直後に結びつくのを抑制することができる。また、前記整流部が前記第１板部で前記平板部が形成されている側と反対側に分割されており、イオン発生部が配置されている側の流速が反対側に比べて速くなっている。イオン発生部で発生したイオンは流速が速い気流に乗ってヘアードライヤの外部に排出されるため、遠くまで（すなわち、毛髪の奥まで）届きやすい。
【０１１８】
本発明にかかるヘアードライヤは、前記第２板部の前記整流部内に配置されている部分は、前記第１板部を挟んで平面部側の部分が、反対側の部分よりも前記気流の流れ方向の下流側に長く形成されている。これにより、整流部の整流を行う実質的な長さを、流速が速い部分を長く、流速が遅い部分を短くしている。また、流速が遅い部分では、整流が行われた気流を早めに混合することで、気流の温度むらを抑制している。
【０１１９】
本発明にかかるヘアードライヤは、前記整流部の内部には、前記断熱筒部の他の部分よりも多くの領域に分割されるように基板が配置されている。これにより、より確実に整流を行うことが可能となる。なお、分割数としては４〜８程度が好ましく、基板の配置としては、放射状に配置するものを挙げることができる。
【０１２０】
本発明にかかるヘアードライヤは、前記加熱部は等間隔に並んで形成された波形状を有する電線を、前記断熱筒部に沿うようにらせん状に巻き回した発熱部を備えており、前記発熱部は、前記らせん状の軸方向に見て、前記軸周りに対称形状となる対称部と、前記平面部と平行な面に対する鏡像と組み合わせたときの中心軸が前記らせん状の軸と重なる２つの異なる形状を前記らせん状の軸周りに対称とならないように組み合わせた非対称部とを備えており、前記非対称部は、前記らせん状の軸をとおり前記平面部と平行な面から突出する高さが、前記イオン発生部側に配置される部分が、反対側よりも低い。
【０１２１】
この構成によると、加熱部の前記らせん状の軸方向に前記イオン発生部に近い部分を非対称部とすることで、加熱部とイオン発生部とを一定間隔あけて配置することができる。これにより、イオン発生部が前記加熱部の熱によって誤作動したり、破損したりするのを抑制することが可能である。また、前記加熱部の発熱部として、波形状を変更せずに巻き回す形状のみを変更しているため、波形状のピッチを変更する構成に比べて組み付けが容易である。また、対称形状を有したままで、軸をイオン発生部から離すようにずらす方法に比べて、断熱筒部が大型化するのを抑制することができ、ヘアードライヤ自体が大きくなるのを抑制することができる。これにより、大型化することなくイオンを安定的に放出することができるので、使用者の利便性を高めることが可能である。
【０１２２】
本発明にかかるヘアードライヤは、前記非対称部が、前記整流部の一部に形成されていてもよい。
【符号の説明】
【０１２３】
Ａ〜Ｄ  ヘアードライヤ
１  本体ケース
１００  内部空間
１０１  吸込口
１０２  吐出口
１１Ｌ  左ハウジング
１１Ｒ  右ハウジング
１１１  ハンドル取付部
１２  吸込みグリル
１２１  吸込みメッシュ
１２２  吸込みリング
１３  吐出リング
１３１  吐出メッシュ
１３２  吐出リング
１４  ファン
１４１  ファンケース
１５  モータ
１５１  モータ用緩衝部材
１６  通風路
２  ハンドル
２０  ねじ
２１Ｌ  左ハンドルカバー
２１Ｒ  右ハンドルカバー
３  ヒンジ部
３０  リング取付部
３０１  節度部
３０２  ストッパ部
３１  節度リブ
３１０  ピン取付部
３１１  第１係合部
３１２  第２係合部
３２  節度ピン
３３１  第１ストッパ部
３３２  第２ストッパ部
３４  ガイド溝
３５  規制リブ
３６  係合凸部
４  ハンドルリング
４１  凸部
４２  弾性変形部
４３  係合部
５、５ｄ  ヒータ
６  ヒータ基板
６１  水平板部
６２  垂直板部
７、７ｄ  断熱スリーブ
７１  断熱コーン
７２  ヒータ配置部
７３  流速増速部
７４  整流部
７４１  平面部
８  イオン発生ユニット
８０  本体
８１  プラス電極
８２  マイナス電極
Ｓｗ１  第１スイッチ
Ｓｗ２  第２スイッチ
Ｓｗ３  第３スイッチ
【図１】
2015073726.tif 000003
【図２】
2015073726.tif 000004
【図３】
2015073726.tif 000005
【図４】
2015073726.tif 000006
【図５】
2015073726.tif 000007
【図６】
2015073726.tif 000008
【図７】
2015073726.tif 000009
【図８】
2015073726.tif 000010
【図９】
2015073726.tif 000011
【図１０】
2015073726.tif 000012
【図１１】
2015073726.tif 000013
【図１２】
2015073726.tif 000014
【図１３】
2015073726.tif 000015
【図１４】
2015073726.tif 000016
【図１５】
2015073726.tif 000017
【図１６】
2015073726.tif 000018
【図１７】
2015073726.tif 000019
【図１８】
2015073726.tif 000020